(57)【特許請求の範囲】
【請求項１】
プレストレストコンクリート板で断熱材を間に挟装して成り、前記断熱材の外周縁部には前記プレストレストコンクリート板の緊張材と平行に切り込まれるとともに、付着補強用のフックが差し込みされ、且つ、該フックとの摩擦による挟持力で当該フックの長手方向の位置を維持する幅に形成されたスリットが設けられ、前記スリットを貫通して前記両プレストレストコンクリート板のプレストレス用緊張材にフック部を引っ掛けて埋設されるフックが設けられていること、
を特徴とするサンドイッチパネル。
【請求項２】
断熱材の表裏面のうち、片面には付着強度向上用の目地が設けられ、他の片面には内部結露防止用の通気溝が設けられていること、
を特徴とする請求項１に記載のサンドイッチパネル。
【請求項３】
プレストレストコンクリート板で断熱材を間に挟装して成るサンドイッチパネルの製造方法であり、
一方のプレキャストコンクリート板を、その内部の緊張材を緊張した後にコンクリート打設して形成した後に、
前記コンクリートが未硬化のうちに前記一方のプレキャストコンクリート板の上に、外周縁部に前記プレストレストコンクリート板の緊張材と平行に切り込まれるとともに、付着補強用のフックが差し込みされ、且つ、該フックとの摩擦による挟持力で当該フックの長手方向の位置を維持する幅に形成されたスリットが設けられた断熱材を敷設し、
更に、前記コンクリートが未硬化のうちにフックのフック部を前記一方のプレキャストコンクリート板に差し込んで適宜に回転させ持ち上げて前記フック部を前記緊張材に引っ掛けてフックを取付け、
前記フックを前記緊張材に沿って移動させて前記断熱材のスリットに差込んで位置決めさせ、当該フックの他のフック部を断熱材の上に突出させておき、
前記断熱材の上側において前記フックの突出しているフック部に緊張材を通して架設して緊張させ、
前記断熱材の上にコンクリートを打設して他方のプレキャストコンクリート板を形成して製造されること、
を特徴とするサンドイッチパネルの製造方法。
【発明の詳細な説明】
【技術分野】
【０００１】
本発明は、外断熱工法において使用されるサンドイッチパネルとその製造方法に関するものである。
【背景技術】
【０００２】
従来、例えば、鉄骨構造物等の建物の断熱効果を高めるために、外断熱工法が知られているが、断熱材を外側とするために、耐火上の問題点や、外装施工のやりにくさやコストの面で普及が遅れている。近年、前記断熱材と外壁材とを一体にしたものが提案され、一例として断熱材をコンクリート板で挟装し、それをトラス筋で適宜間隔で接合したものが知られている（特許文献１参照）。
【特許文献１】特開２００２−３３９４５１号公報
【発明の開示】
【発明が解決しようとする課題】
【０００３】
しかし、従来のサンドイッチパネルでは、外装仕上げに手間が掛かったり、断熱性の点で更なる性能アップが要望され、パネルとしての付着強度の向上と軽量化も要求される。また、サンドイッチパネルの製造においても、作業能率が良く手間の掛からない低コストにすることが求められている。本発明に係るサンドイッチパネルは、このような課題を解決するために提案されたものである。
【課題を解決するための手段】
【０００４】
本発明に係るサンドイッチパネルの上記課題を解決して目的を達成するための要旨は、プレストレストコンクリート板で断熱材を間に挟装して成り、前記断熱材の外周縁部には前記プレストレストコンクリート板の緊張材と平行に切り込まれるとともに、付着補強用のフックが差し込みされ、且つ、該フックとの摩擦による挟持力で当該フックの長手方向の位置を維持する幅に形成されたスリットが設けられ、前記スリットを貫通して前記両プレストレストコンクリート板のプレストレス用緊張材にフック部を引っ掛けて埋設されるフックが設けられていることである。
また、断熱材の表裏面のうち、片面には付着強度向上用の目地が設けられ、他の片面には内部結露防止用の通気溝が設けられていること、を含むものである。
【０００５】
本発明に係るサンドイッチパネルの製造方法の上記課題を解決して目的を達成するための要旨は、プレストレストコンクリート板で断熱材を間に挟装して成るサンドイッチパネルの製造方法であり、一方のプレキャストコンクリート板を、その内部の緊張材を緊張した後にコンクリート打設して形成した後に、前記コンクリートが未硬化のうちに前記一方のプレキャストコンクリート板の上に、外周縁部に前記プレストレストコンクリート板の緊張材と平行に切り込まれるとともに、付着補強用のフックが差し込みされ、且つ、該フックとの摩擦による挟持力で当該フックの長手方向の位置を維持する幅に形成されたスリットが設けられた断熱材を敷設し、更に、前記コンクリートが未硬化のうちにフックのフック部を前記一方のプレキャストコンクリート板に差し込んで適宜に回転させ持ち上げて前記フック部を前記緊張材に引っ掛けてフックを取付け、前記フックを前記緊張材に沿って移動させて前記断熱材のスリットに差込んで位置決めさせ、当該フックの他のフック部を断熱材の上に突出させておき、前記断熱材の上側において前記フックの突出しているフック部に緊張材を通して架設して緊張させ、前記断熱材の上にコンクリートを打設して他方のプレキャストコンクリート板を形成して製造されることである。
【発明の効果】
【０００６】
本発明のサンドイッチパネルとその製造方法によれば、断熱材を挟装するプレストレストコンクリート板のプレストレス用緊張材にフックを引っ掛けているので、断熱材を両側から挟むコンクリート板の付着強度が向上して、一体性が確実になる。また、前記緊張材に引っ掛けたフックは、コンクリートの打設においても、位置ズレや沈み込みがない。更に、コンクリートのかぶり厚を一定にすることができる。
前記断熱材にフック位置決め用のスリットがあって、そのスリットによる挟持力（挟むことによる摩擦力）により、工場にてこのサンドイッチパネルを製造する際において、コンクリート打設によるフックの位置ズレや沈み込みが生じることなく、作業能率が向上するものである。
また、前記断熱材には、目地が設けられることで、コンクリートとの付着強度が向上する。更に、この目地の一部に打設されたコンクリートが入り込まないようにすることで、内部結露を防止する通気溝としての技術的貢献も期待できる。
【発明を実施するための最良の形態】
【０００７】
本発明に係るサンドイッチパネル１は、図１に示すように、プレストレストコンクリート板２，３で断熱材４を中央にして挟装して成り、前記断熱材４を貫通して前記両プレストレストコンクリート板２，３に埋設される付着補強用のフック５が、当該両コンクリート板のプレストレス用緊張材（ＰＣ鋼線）６にフック部５ａを引っ掛けて成る。
【０００８】
前記断熱材４を挟装する両プレストレストコンクリート（以下、ＰＣ）板２，３は、例えば、無垢のＰＣ板と穴あきＰＣ板（スパンクリート板ということもある）とであること、若しくは、両穴あきＰＣ板である。この穴２ａとは、図１に示すサンドイッチパネル１の下側のＰＣ板２における、この板の長手方向に沿った方向に設けられる複数個の連続貫通穴である。これによって、軽量化が図れるとともに、断熱性や遮音性も向上する。
【０００９】
このＰＣ板の形状は、一例として、基盤材としてのＰＣ板２がその厚さを約１００〜２００ｍｍ、表面材としてのＰＣ板３がその厚さが５０ｍｍ〜７０ｍｍである。板幅は約１０００ｍｍ程度であって、長さは、約４．５ｍ〜９ｍ程度である。
【００１０】
前記断熱材４は、保温材として例えば、押出し法によるポリスチレンフォームなどである。その厚さは、一例として、２５ｍｍ〜１００ｍｍ程度であり、幅が約１０００ｍｍ程度である。この熱伝導率は、例えば、０．０２４ｋｃａｌ／ｍｈ℃以下である。また、サンドイッチパネル１における前記断熱材４としての熱抵抗は、約０．６〜２．０（ｍｈ℃／ｋｃａｌ）であって、その地域の環境に合わせて設定する。
【００１１】
前記断熱材４には、図２に示すように、フック位置決め用に差し込みをするスリット４ａが外周縁部に設けられている。このスリット４ａの切り込み方向は、長手方向に沿って架設・緊張された緊張材６と平行にして切り込んである。
【００１２】
これは、フック５の設置作業を容易にするのためである。即ち、工場にてＰＣ板２がコンクリート打設されて形成され、当該コンクリートが未硬化のうちに、フック５をそのフック部５ａを緊張材６と平行にしてＰＣ板２のコンクリートに差し込む。そして、略９０度前記フック５を、フック部５ａの先端部が前記緊張材６側へ向くように回転させる。
【００１３】
そして、このフック５を引き上げることで、前記ＰＣ板２の緊張材６にフック部５ａを引っ掛ける。そのまま、緊張材６に沿って長手方向にフック５を移動させて、スリット４ａにフック５の直棒部５ｂを差し込む。これにより、フック５の上部のフック部５ａが前記スリット４ａの挟持力によって維持される。これを長手方向に亘って所要箇所にフック５を設置するものである。従って、このスリット４ａの幅は、挟持力を発揮するように、フック５の直径よりも細くされている。
【００１４】
また、前記断熱材４の表裏面のうち少なくとも片面には、付着強度向上用の目地が設けられている。この目地は、例えば、縦、横、あるいは格子状、若しくは斜目等、公知の形状の溝加工して設けられるものである。この溝形状は、例えば、凹溝，Ｕ溝，Ｖ溝またはＹ溝等である。この溝に打設されたコンクリートが侵入してくるが、溝下部のほうに空隙が出来れば、それが通気溝となり、結露防止対策とも成るのである。
【００１５】
前記フック５は、断熱性に優れ、かつ、錆びに強いステンレス製鋼である。図２に示すように、断熱材４の上にフック部５ａを突出させて保持させた後に、ＰＣ板３用の緊張材６をこのフック部５ａに通して架設し、ジャッキにて緊張させる。その後、ＰＣ板３用のコンクリートを打設して、所要強度に発現させてサンドイッチパネル１が完成する。コンクリート打設により前記フック５が下方向に力を受けるが、フック部５ａが、上下のＰＣ板２，３の緊張材６，６に夫々引っ掛けられているので、沈み込む事もなく、位置ズレもない。
【００１６】
このようにして、サンドイッチパネル１が工場にて形成され、所要の長さに切断される。そして、図３に示すように、例えば、鉄骨構造の建物に外壁として設置されて外断熱構造に使用されるものである。この３層一体のサンドイッチパネル１によれば、断熱性のほかに、遮音性も期待できる。また、表面材のＰＣ板３は、高強度コンクリートとすることで種々の仕上げ材の選定が可能であるとともに、厚さも５０ｍｍ以上あり耐火性にも優れている。
【図面の簡単な説明】
【００１７】
【図１】本発明に係るサンドイッチパネル１の横断面図である。
【図２】同本発明に係るサンドイッチパネル１の製造途中におけるフック５の配置の説明図である。
【図３】同本発明に係るサンドイッチパネル１の使用状態を示す説明図である。
【符号の説明】
【００１８】
１          サンドイッチパネル、
２          穴あきＰＣ板、            ２ａ        穴、
３          ＰＣ板、
４          断熱材、                  ４ａ        スリット、
５          フック、                  ５ａ        フック部、
６          緊張材。
【図１】
0004815157.tif 000002
【図２】
0004815157.tif 000003
【図３】
0004815157.tif 000004